(57)【要約】  洗濯操作によりオルガノシリコーン、ポリオレフィン分散液、ポリマーラテックス、マイクロカプセル化された布地ケア活性物質などの布地ケア有益剤の、布地への沈着向上のために選択された沈着ポリマーを含む洗剤組成物。この沈着ポリマーは、１種以上のカチオン性モノマー及び１種以上の非イオン性モノマーを含む非多糖ポリマーである。組成物は、所望によりセルラーゼ酵素を含んでもよい。【特許請求の範囲】
【請求項１】
（ａ）オルガノシリコーン、分散性ポリオレフィン、ポリマーラテックス、マイクロカプセル、及びこれらの混合物からなる群から選択される布地ケア有益剤と、
（ｂ）１種以上のカチオン性モノマー単位及び１種以上の非イオン性モノマー単位を含む非多糖類系沈着ポリマーと、
（ｃ）少なくとも１種の界面活性剤と、
（ｄ）少なくとも１種の洗濯補助剤と、
（ｅ）所望により、セルラーゼ酵素と、
を含むことを特徴とする、布地クリーニング用及び布地ケア用液体洗剤組成物。
【請求項２】
前記カチオン性モノマー単位が、Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、メタクリルアミドアルキルトリアルキル塩化アンモニウム、アクリルアミドアルキルトリアルキル塩化アンモニウム、ビニルアミン、ビニルイミダゾール、四級化ビニルイミダゾール、ジアリルジアルキル塩化アンモニウム、及びこれらの混合物からなる群から選択される、請求項１に記載の組成物。
【請求項３】
前記非イオン性モノマー単位が、アクリルアミド、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、Ｃ１〜Ｃ１２ヒドロキシエーテルアルキルアクリレート、Ｃ１〜Ｃ１２アルキルメタクリレート、Ｃ１〜Ｃ１２ヒドロキシアルキルメタクリレート、酢酸ビニル、ビニルアルコール、ビニルホルムアミド、及びこれらの混合物からなる群から選択される、請求項１に記載の組成物。
【請求項４】
前記沈着ポリマーが、前記モノマーの１０重量％未満の遊離モノマー含有量を有する、請求項１に記載の組成物。
【請求項５】
前記沈着ポリマーが、乾燥ポリマーの約０．１〜約５．０ｍｅｑ／ｇの電荷密度を有する、請求項１に記載の組成物。
【請求項６】
前記沈着ポリマーが、ポリ（アクリルアミド−コ−ジアリルジメチル塩化アンモニウム）、ポリ（アクリルアミド−メタクリルアミドプロピルトリメチル塩化アンモニウム）、ポリ（アクリルアミド−コ−Ｎ，Ｎ−ジメチルアミノエチルメタクリレート）、ポリ（アクリルアミド−コ−Ｎ，Ｎ−ジメチルアミノエチルメタクリレート）、ポリ（ヒドロキシエチルアクリレート−コ−ジメチルアミノエチルメタクリレート）、ポリ（ヒドロキシプロピルアクリレート−コ−ジメチルアミノエチルメタクリレート）、ポリ（ヒドロキシプロピルアクリレート−コ−メタクリルアミドプロピルトリメチル塩化アンモニウム）、及びこれらの混合物からなる群から選択される、請求項１に記載の組成物。
【請求項７】
前記オルガノシリコーンが架橋されていない、請求項１に記載の組成物。
【請求項８】
前記オルガノシリコーンが、
（ａ）ポリジメチルシロキサン、
（ｂ）次式：
【化１】
2009537649.tif 000019
｛式中、
ｍは４〜５０，０００であり、ｋは１〜２５，０００であり、
各Ｒは、Ｈ又はＣ１〜Ｃ８アルキル又はアリール基であり、
Ｘは、式：
ｉ）−（ＣＨ２）ｐ−
（式中、ｐは２〜６である）、
ｉｉ）
【化２】
2009537649.tif 000020
（式中、ｑは０〜４である）、
ｉｉｉ）
【化３】
2009537649.tif 000021
を有する連結基であり、
Ｑは、式：
ｉ）−ＮＨ２、−ＮＨ−（ＣＨ２）ｒ−ＮＨ２
（式中、ｒは１〜４である）、
ｉｉ）−（０−ＣＨＲ２−ＣＨ２）ｓ−Ｚ
（式中、ｓは１〜１００であり、Ｒ２は、Ｈ又はＣ１〜Ｃ３アルキルであり、及びＺは、−ＯＲ３、−ＯＣ（Ｏ）Ｒ３、−ＣＯ−Ｒ４−ＣＯＯＨ、−ＳＯ３、−ＰＯ（ＯＨ）２、及びこれらの混合物からなる群から選択され、さらにＲ３は、Ｈ、Ｃ１〜Ｃ２６アルキル又は置換アルキル、Ｃ６〜Ｃ２６アリール又は置換アリール、Ｃ７〜Ｃ２６アルキルアリール又は置換アルキルアリール基であり、Ｒ４は、−ＣＨ２−又は−ＣＨ２ＣＨ２−基である）、
ｉｉｉ）
【化４】
2009537649.tif 000022
ｉｖ）
【化５】
2009537649.tif 000023
（式中、各ｎは独立に１〜４であり、及びＲ５はＣ１〜Ｃ４アルキルである）
を有する｝
を有する化合物、
（ｃ）
【化６】
2009537649.tif 000024
（式中、Ｑは、ＮＨ２又は−ＮＨＣＨ２ＣＨ２ＮＨ２であり、Ｒは、Ｈ又はＣ１〜Ｃ６アルキルであり、ｒは０〜１０００であり、ｍは４〜４０，０００であり、ｎは３〜３５，０００であり、並びに、ｐ及びｑは２〜３０から独立に選択される）、
（ｄ）
【化７】
2009537649.tif 000025
｛式中、ｍは４〜４０，０００であり、ｎは３〜３５，０００であり、並びに、ｐ及びｑは２〜３０から独立に選択され、Ｚは、
ｉ．
【化８】
2009537649.tif 000026
（式中、Ｒ７は、Ｃ１〜Ｃ２４アルキルである）、
ｉｉ．
【化９】
2009537649.tif 000027
（式中、Ｒ４は、ＣＨ２又はＣＨ２ＣＨ２である）、
ｉｉｉ．−ＳＯ３、
ｉｖ．
【化１０】
2009537649.tif 000028
ｖ．
【化１１】
2009537649.tif 000029
（式中、Ｒ８は、Ｃ１〜Ｃ２２アルキル及びＡ−はＣ１−である）、
ｖｉ．
【化１２】
2009537649.tif 000030
（式中、Ｒ８は、Ｃ１〜Ｃ２２アルキルであり、及びＡ−は、Ｃｌ−である）
である｝、並びに、
（ｅ）これらの混合物、
からなる群から選択される、請求項１に記載の組成物。
【請求項９】
前記オルガノシリコーンが、前記オルガノシリコーンと、Ｃ１１〜Ｃ１８アルキルベンゼンスルホネート（ＬＡＳ）、Ｃ１０〜Ｃ２０分枝鎖及びランダムアルキルスルフェート（ＡＳ）、Ｃ１０〜Ｃ１８アルキルエトキシスルフェート（ＡＥｘＳ）（式中、ｘは１〜３０である）、中鎖分枝状アルキルスルフェート、中鎖分枝状アルキルアルコキシスルフェート、１〜５エトキシ単位を含むＣ１０〜Ｃ１８アルキルアルコキシカルボキシレート、修飾アルキルベンゼンスルホネート（ＭＬＡＳ）、Ｃ１２〜Ｃ２０メチルエステルスルホネート（ＭＥＳ）、Ｃ１０〜Ｃ１８α−オレフィンスルホネート（ＡＯＳ）、Ｃ６〜Ｃ２０スルホスクシネート、及びこれらの混合物からなる群から選択されるアニオン性界面活性剤と、を含む水性マイクロエマルションの形態である、請求項１に記載の組成物。
【請求項１０】
前記分散性ポリオレフィンが、カルボキシ変性ポリエチレン、カルボキシ変性ポリプロピレン、及びこれらの混合物からなる群から選択される、請求項１に記載の組成物。
【請求項１１】
前記マイクロカプセルが、マイクロカプセルシェルと、香料、殺真菌剤、悪臭抑制剤、静電気防止剤、スキン又はヘアコンディショニング剤、蛍光増白剤、抗菌性活性物質、紫外線保護剤、難燃剤、及びこれらの混合物からなる群から選択される活性物質と、を含む、請求項１に記載の組成物。
【請求項１２】
前記洗濯補助剤が、洗浄性界面活性剤、洗浄性酵素、香料、漂白系、泡抑制剤、光沢剤、及びこれらの混合物からなる群から選択される、請求項１に記載の組成物。
【請求項１３】
洗剤組成物であって、
（ａ）オルガノシリコーン、分散性ポリオレフィン、ポリマーラテックス、マイクロカプセル及びこれらの混合物からなる群から選択される、該組成物の約０．０１〜約１０重量％の有益剤と、
（ｂ）１種以上のカチオン性モノマー単位及び１種以上の非イオン性モノマー単位を含む、該組成物の約０．０００１〜約１０重量％の非多糖類系沈着ポリマーと、
（ｃ）該組成物の約１〜約２５重量％の洗浄性界面活性剤と、
（ｄ）該組成物の約０．０００１〜約２０重量％の洗濯補助剤と、
（ｅ）セルラーゼ酵素と、
（ｆ）水を含むキャリアの残部と、
を含むことを特徴とし、前記沈着ポリマーと前記有益剤の重量比が、約１：５０〜約１：１である、洗剤組成物。
【請求項１４】
前記カチオン性モノマー単位が、Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、メタクリルアミドアルキルトリアルキル塩化アンモニウム、アクリルアミドアルキルトリアルキル塩化アンモニウム、ビニルアミン、ビニルイミダゾール、四級化ビニルイミダゾール、ジアリルジアルキル塩化アンモニウム、及びこれらの混合物からなる群から選択され、並びに、
前記非イオン性モノマー単位が、アクリルアミド、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、Ｃ１〜Ｃ１２ヒドロキシエーテルアルキルアクリレート、Ｃ１〜Ｃ１２アルキルメタクリレート、Ｃ１〜Ｃ１２ヒドロキシアルキルメタクリレート、ビニルホルムアミド、酢酸ビニル、ビニルアルコール、及びこれらの混合物からなる群から選択される、請求項１３に記載の組成物。
【請求項１５】
前記沈着ポリマーが、約１〜約６０モルパーセントのカチオン性モノマー単位及び約４０〜約９８モルパーセントの非イオン性モノマー単位を含む、請求項１３に記載の組成物。
【請求項１６】
前記沈着ポリマーが、ポリ（アクリルアミド−コ−ジアリルジメチル塩化アンモニウム）、ポリ（アクリルアミド−メタクリルアミドプロピルトリメチル塩化アンモニウム）、ポリ（アクリルアミド−コ−Ｎ，Ｎ−ジメチルアミノエチルメタクリレート）、ポリ（アクリルアミド−コ−Ｎ，Ｎ−ジメチルアミノエチルメタクリレート）、ポリ（ヒドロキシエチルアクリレート−コ−ジメチルアミノエチルメタクリレート）、ポリ（ヒドロキシプロピルアクリレート−コ−ジメチルアミノエチルメタクリレート）、ポリ（ヒドロキシプロピルアクリレート−コ−メタクリルアミドプロピルトリメチル塩化アンモニウム）、及びこれらの混合物からなる群から選択される、請求項１３に記載の組成物。
【請求項１７】
前記オルガノシリコーンが、前記オルガノシリコーン及びアニオン性界面活性剤を含む水性マイクロエマルションの形態である、請求項１３に記載の組成物。
【請求項１８】
前記洗濯補助剤が、洗浄性界面活性剤、洗浄性酵素、香料、漂白系、及びこれらの混合物からなる群から選択される、請求項１３に記載の組成物。
【請求項１９】
多糖類系成分が実質的に含まれない、請求項１３に記載の組成物。
【請求項２０】
処理を必要とする基材を処理する方法であって、前記基材が処理されるように前記基材を請求項１３に記載の洗剤組成物と接触させる工程を含む、方法。
【発明の詳細な説明】
【技術分野】
【０００１】
本発明は、洗濯作業を通して、オルガノシリコーン、ポリオレフィン分散液、ポリマーラテックスなどの、布地ケア活性物質、マイクロカプセル化された布地ケア活性物質の布地への沈着向上のために選択された沈着ポリマーを含む洗剤組成物に関する。
【背景技術】
【０００２】
現代世界では、雑踏及び移動が増えるにつれて、洗濯及び／又は布地ケアの雑用にかかかわる時間と労力を減らすための要求がある。すなわち、消費者は、洗浄に卓越しているだけでなく、例えば、素敵な衣類の外観、布地感触及び柔軟性のような、すばらしい触覚性、布地柔軟性、衣類の折り皺又は皺の低減、除去又は予防、アイロンかけのし易さ、衣類形状保持及び／又は形状回復、及び布地弾性といった、優れた布地ケア又は衣類ケアの効果をもたらす製品を望んでいる。洗浄及び布地ケアの両方の効果を提供する組成物は、「ツー・イン・ワン（２−ｉｎ−１）洗剤組成物」として一般に知られている。
【０００３】
布地ケア有益剤は、所望される効果をもたらすために布地類の上に沈着される必要がある。しかしながら、一般的な洗濯条件下での布地ケア有益剤の沈着効率は低い。大部分の布地ケア有益剤は、洗浄液内に留まっていて、洗浄液と共に廃棄される。
【０００４】
布地ケア剤の沈着を増加させるために、沈着補助剤が用いられる場合が多い。布地ケア有益剤の沈着を向上させるのに適した沈着補助剤（例えば、カチオン性沈着ポリマー）が、洗濯洗剤組成物に添加されてきた。好適な沈着補助剤は、好ましくは布地から物質を除去する洗浄作業に干渉せず、また同時に、布地ケア有益剤の布地への沈着を向上させる。加えて、好適な沈着補助剤は好ましくは組成物中の洗浄剤、洗剤添加剤及び／又は布地ケア剤と相溶性があり、組成物中で安定したままである。
【０００５】
最も一般的に使用される沈着補助剤は、カチオン性多糖類である。米国特許第７，０５６，８８０号及び第７，０５６，８７９号（共にザ・プロクター・アンド・ギャンブル・カンパニー（The Procter & Gamble Company）、すなわちＰ＆Ｇに譲渡されている）は、布地ケア剤の沈着を向上させる沈着補助剤としてカチオン性ヒドロキシエチルセルロース誘導体を採用している組成物を開示している。シリコーンの布地への沈着を支援及び／又は向上させるためのカチオン性グアーゴム類及び合成ポリマーが、ＰＣＴ国際公開特許ＷＯ０４／０４１９８３号に開示されている。しかしながら、天然多糖類系ポリマーは、洗浄性酵素、特にセルラーゼ、アミラーゼ及びマンナナーゼとは相溶性がない。これらの酵素は、洗浄と、毛玉及び毛羽立ちの除去と、を向上させるために洗濯洗剤に意図的に組み込まれているか、又は、他の酵素、例えば、微量のセルラーゼを含む市販のプロテアーゼ及びアミラーゼの中に不純物として存在するかのいずれかである。これらの酵素は、洗濯機における洗濯作業中に、又は、液体洗剤の出荷及び貯蔵中に、多糖類系ポリマーを分解し、これにより液体洗剤の貯蔵寿命を短縮する。
【０００６】
この問題を回避する１つの方法は、合成カチオン性ポリマーを用いることである。様々な合成カチオン性ポリマーが入手可能である。これらのポリマーは、ワシントンＤＣの米国化粧品工業会（The Cosmetics, Toiletry and Fragrance Association）により出版された「国際化粧品成分表示名称辞典（International Cosmetics Ingredient Dictionary and Handbook）第１０版」にリストされている。しかしながら、これらの市販のカチオン性ポリマーの大部分は、アニオン性界面活性剤を含む洗濯洗剤と相溶性がない。カチオン性ポリマーが、アニオン性界面活性剤と相互に強く作用して、これがアニオン−カチオン錯体の沈殿につながると考えられている。これらの構成成分から液体洗濯製品を配合するという重要な課題がある。
【０００７】
カチオン性ポリマー、架橋シリコーンと遊離シラノール基及びアニオン性界面活性剤との各種組合せが知られている。しかしながら、カチオン性ポリマーの多数がうまく配合されず、透明な等方性液体洗剤製品を生成できない。これはカチオン性ポリマーがポリクアテルニウム−７の変形である時に特に観察される。ポリクアテルニウム７は、典型的には７０％アクリルアミド及び３０％ジアリルジアルキル塩化アンモニウム（ＤＡＤＭＡＣ）のモノマー仕込み率によって生成される。この結果得られたコポリマーが液体洗濯洗剤に組み込まれる時、それらは２相の不透明な生成物を生成する。理論に束縛されるものではないが、これは洗剤組成物中の、アルキルスルフェート及びアルキルエトキシスルフェートなどの、アニオン性界面活性剤類と相互に作用して沈殿する多量の非反応性ＤＡＤＭＡＣモノマー及びポリ（ＤＡＤＭＡＣ）オリゴマーに起因すると確信されている。例えば、ＰＣＴ国際公開特許ＷＯ２００５／０９７９０７号を参照のこと。
【発明の開示】
【発明が解決しようとする課題】
【０００８】
このため、洗濯洗剤組成物によって提供される布地ケア効果を改善する必要性は依然として残されている。特に、その結果得られる洗剤組成物が安定し、布地ケア剤を効率的に沈着させ、並びに、優れた洗浄及び布地ケアの効果を提供するように相溶性のある布地ケア剤、沈着補助剤及び洗浄剤を選択する必要性が残っている。
【課題を解決するための手段】
【０００９】
本発明は、大部分が洗浄液の中で従来失われていた布地ケア有益剤の沈着を向上できる洗濯洗剤組成物を提供する。本組成物の、洗浄剤、沈着ポリマー及び布地ケア有益剤などの成分は、相溶性があり及び安定した洗濯洗剤製品へ配合されることができる。
【００１０】
具体的には、本組成物は、布地ケア有益剤と、１種以上のカチオン性モノマー単位及び１種以上の非イオン性モノマー単位を含む非多糖類系沈着ポリマーと、少なくとも１種の界面活性剤と、並びに少なくとも１種の洗濯補助剤と、を含む。
【００１１】
本発明の目的、特徴、及び利点は、以下の詳細な説明、実施例、及び添付の特許請求の範囲からさらに裏付けられる。
【００１２】
本明細書中のすべての百分率、比率及び割合は、特段の指示がない限り、希釈していない組成物に基づく重量を基準としている。
【発明を実施するための最良の形態】
【００１３】
定義
本明細書で使用する時、用語「基材」又は「処理された基材」とは、本発明の組成物によってそれに付与される本明細書に記載される１つ以上の布地ケア効果を有する、１片の材料、特に布地、繊維、衣類又は一般的な布地物品、を意味する。
【００１４】
本明細書で使用する時、用語「布地物品」とは、被服、亜麻布、カーテン、及び被服付属品の物品を意味する。また、この用語は、手さげバッグ、家具カバー、防水布などのような、全体又は一部分が布地で作られた他の品目も包含する。
【００１５】
本明細書で使用する時、用語「洗剤組成物」又は「洗濯組成物」とは、洗浄と共に布地ケア効果を提供する組成物をいう。この用語は、手洗い、洗濯機洗い、染みの付いた布地の浸漬及び／又は前処理などの他の目的のための組成物を包含する。
【００１６】
本明細書で使用する時、材料又は組成物の「有効量」とは、意図された目的、例えば、布地をきれいにすること又は所望のレベルの布地ケア効果を布地物品／基材に付与すること、を達成するのに必要とされる量である。
【００１７】
洗剤組成物
本発明の洗剤組成物は、典型的には液体の形態にあり、好ましくは水性キャリアとして水を用いる。カプセル及び／又は単位投与量組成物は、２つ以上の個別であるが組み合わされて分配できる部分を含む組成物と同様に、含まれる。本発明の洗剤組成物は、布地ケア有益剤、非多糖類系沈着ポリマー及び他の洗濯補助剤を、好ましくは水を含むキャリア中に含む。本発明の洗剤組成物は、約１〜２０００ｍＰａ．ｓ（１〜約２０００センチポアズ）、又は約２００〜８００ｍＰａ．ｓ（２００〜約８００センチポアズ）の粘度を有する。この粘度は、２５℃において測定され、６０ＲＰＭにおいてブルックフィールド（Brookfield）粘度計、Ｎｏ．２スピンドルを用いて求めることができる。
【００１８】
本発明の洗剤組成物は、典型的には該組成物の約０．０１〜約１０重量％の、好ましくは約０．５〜約５重量％の、及びより好ましくは約１〜約３重量％の布地ケア有益剤を含む。布地ケア有益剤は、好ましくは非水溶性又は水分散性である。
【００１９】
本発明の洗剤組成物はまた、該組成物の約０．０００１〜約１０重量％の、好ましくは約０．００１〜約５重量％の、より好ましくは約０．０１〜２重量％の非多糖類系沈着ポリマーを含む。幾つかの実施形態では、沈着ポリマーと布地ケア有益剤の重量比は、約１：５０〜約１：１、又は約１：２０〜約１：５に及ぶ。
【００２０】
本発明の洗剤組成物は、香料、洗浄性界面活性剤、酵素、漂白剤、漂白活性化剤、酵素安定化系、又はこれらの組合せなどの洗濯補助剤の有効量を含む。以下に特段の指定がない限り、特定の洗濯補助剤の「有効量」は、好ましくは組成物の約０．０００１重量％から、より好ましくは約０．０１重量％から、さらに好ましくは約１重量％〜約２５重量％、より好ましくは約２０重量％まで、さらに好ましくは約１５重量％まで、さらにより好ましくは約１０重量％まで、最も好ましくは約５％までである。
【００２１】
本発明の洗剤組成物の残部は、典型的には水を含むキャリア、及び所望により有機溶媒を含む。幾つかの実施形態では、水はキャリアの約８５〜約１００重量％である。
【００２２】
本発明の代表的な実施形態は、該組成物の少なくとも約０．０１重量％、好ましくは約０．０１重量％〜約１０重量％の布地ケア有益剤、該組成物の少なくとも約０．０００５％重量％の、好ましくは約０．００２５％〜約６重量％の、水性組成物中に有益剤を浮遊させるための乳化剤、該組成物の少なくとも約０．０１重量％の、好ましくは約０．０１％〜約１０重量％の、沈着ポリマー、該組成物の少なくとも約０．０１重量％の、好ましくは少なくとも０．１重量％の、洗浄性界面活性剤、有効量の他の洗濯補助剤物質、及びキャリアの、好ましくは水の、残部を含む組成物である。
【００２３】
布地ケア有益剤
本明細書で使用する時、「布地ケア有益剤」とは、水分散性又は非水溶性であり、及び布地柔軟化、色の保護、毛玉／毛羽立ち低減、抗摩耗、抗皺、香料長寿命化などのような布地ケア効果を衣類及び布地、特に木綿衣類及び布地にもたらすことができる洗剤成分を指す。
【００２４】
これらの布地ケア有益剤は、典型的には２５℃において蒸留水中１００ｇ／Ｌ未満、好ましくは１０ｇ／Ｌ未満の溶解度を有する。布地ケア有益剤の溶解度が、１０ｇ／Ｌ超である場合、は布地ケア有益剤は洗浄液中で可溶性のままであり、その結果布地に沈着しないと考えられている。
【００２５】
非水溶性布地ケア有益剤の非限定的な例としては、分散性ポリオレフィン、ポリマーラテックス、オルガノシリコーン、香料又は他の活性マイクロカプセル、及びこれらの混合物が挙げられる。布地ケア有益剤は、エマルション、ラテックス、分散液、懸濁液、ミセルなどの形態にすることができ、好ましくはマイクロエマルション、膨潤ミセル又はラテックスの形態にすることができる。このように、それらは約１ｎｍ〜１００μｍ、好ましくは約５ｎｍ〜１０μｍの広範囲の粒径を有することができる。マイクロエマルションの粒径は、リーズ・アンド・ノースラップ社（Leeds & Northrup）製マイクロトラック（Microtrac）ＵＰＡ粒径測定器（particle sizer）を用いるなどの従来の方法で測定することができる。
【００２６】
乳化剤、分散剤及び懸濁剤が用いられてもよい。乳化剤、分散剤又は懸濁剤と布地ケア有益剤の重量比は、約１：１００〜約１：２である。好ましくは、この重量比は約１：５０〜１：５の範囲に及ぶ。本発明の水不溶性布地ケア有益剤を製造するには、ポリマーエマルションの製造又はポリマーラテックスのエマルション重合に適したどの界面活性剤を使用することもできる。好適な界面活性剤には、アニオン性、カチオン性、及び非イオン性界面活性剤、又はこれらの混合物が含まれる。非イオン性及びアニオン性界面活性剤が好ましい。
【００２７】
典型的には、ケア剤の乳化が液体洗剤内のその場で達成される。このような場合には、有益剤は激しく攪拌しながら液体洗剤へゆっくりと添加される。好適な非水溶性布地ケア有益剤としては、以下に記載する例が挙げられるが、これらに限定されない。
【００２８】
（Ａ）オルガノシリコーン
好適なオルガノシリコーンとしては、（ａ）ポリジメチルシロキサン（ＰＤＭＳ）などの非官能化シリコーン；及び（ｂ）アミノ、アミド、アルコキシ、アルキル、フェニル、ポリエーテル、アクリレート、シリコーンヒドリド、メルカプトプロイル（mercaptoproyl）、カルボキシレート、スルフェートホスフェート、四級化窒素、及びこれらの組合せからなる群から選択される１つ以上の官能基を有するシリコーン類のような官能化シリコーン類が挙げられるが、これらに限定されない。
【００２９】
代表的な実施形態では、本明細書で使用するのに適したオルガノシリコーンは、２０℃において約１Ｅ−５ｍ２／ｓ〜約０．７ｍ２／ｓ（約１０〜約７００，０００ＣＳｔ（センチストークス））の範囲の粘度を有する。他の実施形態では、好適なオルガノシリコーンは、約１Ｅ−５ｍ２／ｓ〜約０．１ｍ２／ｓ（約１０〜約１００，０００ＣＳｔ）の粘度を有する。
【００３０】
（ａ）ポリジメチルシロキサン（ＰＤＭＳ）は、先に引用した、「化粧品成分表示名称辞典（Cosmetics and Toiletries Dictionary）」に記載されてきている。これらは、直鎖、分枝鎖、環式、グラフト又は架橋又は環状構造体にすることができる。幾つかの実施形態では、洗剤組成物は、２０℃において、約０．０００１ｍ２／ｓ〜約０．７ｍ２／ｓ（約１００〜約７００，０００ＣＳｔ）の粘度を有するＰＤＭＳを含む。
【００３１】
（ｂ）代表的な官能化シリコーンとしては、アミノシリコーン、アミドシリコーン、シリコーンポリエーテル、アルキルシリコーン、フェニルシリコーン及び四級シリコーンが挙げられるが、これらに限定されない。
【００３２】
本発明に使用するのに適した官能化シリコーンは、次の一般式：
【化１】
2009537649.tif 000002
｛式中、
ｍは、４〜５０，００００、好ましくは１０〜２０，０００であり、
ｋは、１〜２５，０００、好ましくは３〜１２，０００であり、
各Ｒは、Ｈ又はＣ１〜Ｃ８アルキル又はアリール基、好ましくはＣ１〜Ｃ４アルキル、より好ましくはメチル基であり、
Ｘは、式：
ｉ）−（ＣＨ２）ｐ−（式中、ｐは２〜６、好ましくは２〜３である）、
ｉｉ）
【化２】
2009537649.tif 000003
（式中、ｑは０〜４、好ましくは１〜２である）、
ｉｉｉ）
【化３】
2009537649.tif 000004
を有する連結基であり、
Ｑは、式：
ｉ）−ＮＨ２、−ＮＨ−（ＣＨ２）ｒ−ＮＨ２（式中、ｒは１〜４、好ましくは２〜３である）、或いは、
ｉｉ）−（０−ＣＨＲ２−ＣＨ２）ｓ−Ｚ（式中、ｓは１〜１００、好ましくは３〜３０であり、
Ｒ２は、Ｈ又はＣ１〜Ｃ３アルキル、好ましくはＨ又はＣＨ３であり、並びにＺは、−ＯＲ３、−ＯＣ（Ｏ）Ｒ３、−ＣＯ−Ｒ４−ＣＯＯＨ、−ＳＯ３、−ＰＯ（ＯＨ）２、及びこれらの混合物からなる群から選択され、さらに、Ｒ３はＨ、Ｃ１〜Ｃ２６アルキル又は置換アルキル、Ｃ６〜Ｃ２６アリール又は置換アリール、Ｃ７〜Ｃ２６アルキルアリール又は置換アルキルアリール基、好ましくはＲ３はＨ、メチル、エチルプロピル又はベンジル基、Ｒ４は、−ＣＨ２−又は−ＣＨ２ＣＨ２−基である）、並びに、
ｉｉｉ）
【化４】
2009537649.tif 000005
ｉｖ）
【化５】
2009537649.tif 000006
（式中、各ｎは独立して１〜４、好ましくは２〜３であり、及びＲ５はＣ１〜Ｃ４アルキル、好ましくはメチルである）を有する｝を有する。
【００３３】
好ましいオルガノシリコーンの別の部類は、次の一般式：
【化６】
2009537649.tif 000007
（式中、ＱはＮＨ２又は−ＮＨＣＨ２ＣＨ２ＮＨ２であり、ＲはＨ又はＣ１〜Ｃ６アルキルであり、ｒは０〜１０００であり、ｍは４〜４０，０００であり、ｎは３〜３５，０００であり、並びに、ｐ及びｑは２〜３０から独立して選択される整数である）の修飾ポリアルキレンオキシドポリシロキサンを含む。
【００３４】
ｒ＝０の時、ポリアルキレンオキシドを有するこのようなポリシロキサンの非限定的な例は、ＧＥシリコーンズ（GE Silicones）社（コネチカット州ウィルトン（Wilton））から入手可能であるシルウエット（Silwet）（登録商標）Ｌ−７６２２、シルウエット（登録商標）Ｌ−７６０２、シルウエット（登録商標）Ｌ−７６０４、シルウエット（登録商標）Ｌ−７５００、マグナソフト（Magnasoft）（登録商標）ＴＬＣ、ノベオン社（Noveon Inc.）（オハイオ州クリーブランド（Cleveland））から入手可能なウルトラシル（Ultrasil）（登録商標）ＳＷ−１２及びウルトラシル（登録商標）ＤＷ−１８シリコーン、並びに、ダウ・コーニング（Dow Corning）社（登録商標）（ミシガン州、ミッドランド（Midland））から入手可能なＤＣ−５０９７、ＦＦ−４００（登録商標）である。追加的な例は、信越シリコーン（Shin Etsu Silicones）社（日本、東京）から入手可能なＫＦ−３５２（登録商標）、ＫＦ−６０１５（登録商標）、及びＫＦ−９４５（登録商標）である。
【００３５】
ｒ＝１〜１０００の時、オルガノシリコーンのこの部類の非限定な例は、ノベオン社（オハイオ州、クリーブランド）から共に入手可能なウルトラシル（登録商標）Ａ２１及びウルトラシル（登録商標）Ａ−２３、東レ・ダウ・コーニング社（Dow Corning Toray Ltd.）（日本）からのＢＹ１６−８７６（登録商標）、並びに、信越コーポレーション（Shin Etsu Corporation）社（日本、東京）からのＸ２２−３９３９Ａ（登録商標）である。
【００３６】
好ましいオルガノシリコーンの第３の部類は、次の一般式：
【化７】
2009537649.tif 000008
｛式中、ｍは、４〜４０，０００であり、ｎは、３〜３５，０００であり、並びに、ｐ及びｑは、２〜３０から独立して選択される整数であり、Ｚは、
（ｉ）
【化８】
2009537649.tif 000009
（式中、Ｒ７はＣ１〜２４アルキル基である）
（ｉｉ）
【化９】
2009537649.tif 000010
（式中、Ｒ４は、ＣＨ２又はＣＨ２ＣＨ２である）
（ｉｉｉ）−ＳＯ３
（ｉｖ）
【化１０】
2009537649.tif 000011
（ｖ）
【化１１】
2009537649.tif 000012
（式中、Ｒ８はＣ１〜Ｃ２２アルキルであり、Ａ−は適切なアニオン、好ましくはＣｌ−である）
（ｖｉ）
【化１２】
2009537649.tif 000013
（式中、Ｒ８はＣ１〜Ｃ２２アルキルであり、Ａ−は適切なアニオン、好ましくはＣｌ−である）から選択される｝の修飾されたポリアルキレンオキシドポリシロキサンを含む。
【００３７】
好ましいシリコーンの別の部類は、カチオン性シリコーンを含む。これらは典型的にはジアミンをエポキシドと反応させることで生成される。それらはＰＣＴ国際公開特許ＷＯ０２／１８５２８号及びＷＯ０４／０４１９８３号（共にＰ＆Ｇ社に譲渡された）、ＷＯ０４／０５６９０８号（ワッカー・ケミー（Wacker Chemie）社に譲渡された）及び米国特許第５，９８１，６８１号及び同第５，８０７，９５６号（ＯＳｉスペシャリティーズ（OSi Specialties）社に譲渡された）に記載されている。これらはマグナソフト（Magnasoft）（登録商標）プライム（Prime）、マグナソフト（登録商標）ＨＳＳＤ、シルソフト（Silsoft）（登録商標）Ａ−８５８（すべてＧＥシリコーンズ社製）及びワッカー（Wacker）ＳＬＭ２１２００（登録商標）の商品名で市販されている。
【００３８】
本発明の組成物の一実施形態は、オルガノシリコーンエマルションを含有し、このオルガノシリコーンエマルションは乳化剤（典型的にはアニオン性界面活性剤）の存在下で好適なキャリア（典型的には水）の中に分散したオルガノシリコーンを含む。
【００３９】
別の実施形態では、オルガノシリコーンはマイクロエマルションの形態である。このオルガノシリコーンマイクロエマルションは、約１ｎｍ〜約１５０ｎｍ、又は約１０ｎｍ〜約１００ｎｍ、又は約２０ｎｍ〜約５０ｎｍの範囲の平均粒径を有してもよい。マイクロエマルションは、従来のマクロエマルション（約１〜２０ミクロンの平均粒径）より安定していて、製品に組み込まれると、その結果得られる製品は好ましい透明な外観を有する。より重要なことに、この組成物が典型的な水性洗濯環境において使用されると、この組成物の乳化剤は希釈されてしまい、マイクロエマルションをもはや維持できなくなり、オルガノシリコーンが合着して約１ミクロン超の平均粒径を有するかなり大きな液滴を形成する。選択されたオルガノシリコーンは、非水溶性であるか又は限られた水中溶解度を有するので、それらは洗浄液から「押し破って」出て（“crash” out）、その結果布地へのより効率的な沈着及び布地ケア効果の向上をもたらす。代表的な浸漬洗濯環境において、この組成物は過剰な水と混合されて洗浄液を形成し、この洗浄液は典型的には１０：１〜４００：１の範囲に及ぶ水対組成物の重量比を有する。
【００４０】
この組成物の典型的な実施形態は、キャリア中に、該組成物の約０．０１重量％〜約１０重量％のオルガノシリコーンと、有効量の乳化剤を含む。乳化剤の「有効な量」は、キャリアの、好ましくは水の、中で、オルガノシリコーンマイクロエマルションを生成するのに十分な量である。幾つかの実施形態では、乳化剤の量は、１００重量部のオルガノシリコーンに対して約５〜約７５重量部、又は約２５〜約６０重量部の範囲に及ぶ。
【００４１】
マイクロエマルションは典型的には、マイクロエマルションの約１０〜約７０重量％の、又は２５〜約６０重量％の、分散したオルガノシリコーン；マイクロエマルションの約０．１〜約３０重量％の、又は約１〜約２０重量％の、アニオン性界面活性剤；所望により、マイクロエマルションの約０〜約３重量％の、又は約０．１〜約２０重量％の、非イオン性界面活性剤を含み、残部は水、及び所望により他のキャリアである。選択されたオルガノシリコーンポリマー（ＰＤＭＳ及びカチオン性シリコーンを除く、先に開示されたもの全て）は、マイクロエマルションを形成するのに適しており、これらのオルガノシリコーンは、「自己乳化シリコーン」と称されることもある。乳化剤、特にアニオン性界面活性剤類は、組成物におけるオルガノシリコーンマイクロエマルションの形成を促進するために添加されてもよい。さらに、洗浄効果をもたらすために洗濯補助剤として有用な非イオン性界面活性剤もまた、マイクロエマルションの形成及び安定性を促進することができる。典型的な実施形態では、乳化剤の量はこの組成物の約０．０５％〜約１５重量％である。
【００４２】
アニオン性界面活性剤の非限定例としては、Ｃ１１〜Ｃ１８アルキルベンゼンスルホネート（ＬＡＳ）又はＣ１０〜Ｃ２０分枝鎖及びランダムアルキルスルフェート（ＡＳ）などのアルキルスルホネート；Ｃ１０〜Ｃ１８アルキルエトキシスルフェート（ＡＥｘＳ）（式中、ｘは１〜３０である）；中鎖分枝状アルキルスルフェート（米国特許第６，０２０，３０３号及び同第６，０６０，４４３号）又は中鎖分枝状アルキルアルコキシスルフェート（米国特許第６，００８，１８１号及び同第６，０２０，３０３号）；１〜５個のエトキシ単位を含むＣ１０〜Ｃ１８アルキルアルコキシカルボキシレート；ＰＣＴ国際公開特許ＷＯ９９／０５２４３号、同ＷＯ９９／０５２４２号、同ＷＯ９９／０５２４４号、同ＷＯ９９／０５０８２号、同ＷＯ９９／０５０８４号、同ＷＯ９９／０５２４１号、同ＷＯ９９／０７６５６号、同ＷＯ００／２３５４９号、及び同ＷＯ００／２３５４８号に開示されている修飾アルキルベンゼンスルホネート（ＭＬＡＳ）；Ｃ１２〜Ｃ２０メチルエステルスルホネート（ＭＥＳ）；Ｃ１０〜Ｃ１８α−オレフィンスルホネート（ＡＯＳ）；並びに、Ｃ６〜Ｃ２０スルホスクシネートが挙げられる。
【００４３】
（Ｂ）分散性ポリオレフィン
布地ケア効果を提供するすべての分散性ポリオレフィンは、本発明の組成物において布地ケア有益剤として使用できる。このポリオレフィンは、ワックス、エマルション、分散液、又は懸濁液の形態にすることができる。非限定例を以下に記載する。
【００４４】
好ましくは、このポリオレフィンは、ポリエチレン、ポリプロピレン、又はこれらの混合物である。ポリオレフィンは、カルボキシル、アルキルアミド、スルホン酸又はアミド基のような様々な官能基を含有するように、少なくとも部分的に修飾されていてもよい。より好ましくは、ポリオレフィンは少なくとも部分的にカルボキシル変性される、換言すれば、酸化される。
【００４５】
処方のし易さのために、分散性ポリオレフィンは、好ましくは乳化剤の使用により水性媒質の中に分散されたポリオレフィンの懸濁液又はエマルションとして導入される。エマルションが採用される時には、乳化剤は、アニオン性、カチオン性、若しくは非イオン性の界面活性剤、又はこれらの混合物を含め、どの好適な乳化剤であってもよい。ほぼ全ての好適な界面活性剤が、本発明の乳化剤として使用されてもよい。分散性ポリオレフィンは、乳化剤又は懸濁剤を用いて１：１００〜約１：２の比で分散される。好ましくは、この比の範囲は、約１：５０〜１：５である。
【００４６】
ポリオレフィン懸濁液又はエマルションは、好ましくは約１重量％〜約６０重量％、より好ましくは約１０重量％〜約５５重量％、最も好ましくは約２０〜約５０重量％のポリオレフィンを含む。
【００４７】
ポリオレフィンは、好ましくは約２０〜１７０℃の、より好ましくは約５０〜１４０℃の、ワックス滴点（「ワックス類の滴点に関する標準試験方法（“Standard Test Method for Dropping Point of Waxes”）」（「ＡＳＴＭ  Ｄ３９５４−９４」１５．０４巻所収）を参照されたい、この方法を本明細書に参考として組み込む）を有する。好適なポリエチレンワックスは、ハネウェル（Honeywell）社（Ａ−Ｃポリエチレン）、クラリアント（Clariant）社（ベルストロール（Velustrol）エマルション）、及びＢＡＳＦ社（ルーワックス（LUWAX））を含めた供給元から市販されているが、これに限定されない。
【００４８】
（Ｃ）ポリマーラテックス
ポリマーラテックスは、通常、１以上のモノマー、１以上の乳化剤、反応開始剤、及び当業者にはよく知られている他の構成成分を含むエマルション重合プロセスによって製造される。布地ケア効果を提供する全てのポリマーラテックスを、本発明の水不溶性布地ケア有益剤として使用することができる。好適なポリマーラテックスの非限定例には、ＰＣＴ国際公開特許ＷＯ０２／０１８４５１号（ロディア化学（Rhodia Chimie）の名で公開）に開示のものが挙げられる。
【００４９】
布地ケア有益剤として本明細書に用いるのに好適なポリマーラテックスは、約−１２０℃〜約１２０℃及び好ましくは約−８０℃〜約６０℃のガラス転移温度を有する。好適な乳化剤には、アニオン性、カチオン性、非イオン性及び両性の界面活性剤が包含される。好適な反応開始剤には、ポリマーラテックスのエマルション重合に適した全ての反応開始剤が含まれる。ポリマーラテックスの粒径は、約１ｎｍ〜約１０μｍにすることができ、好ましくは約１０ｎｍ〜約１μｍである。
【００５０】
（Ｄ）マイクロカプセル化活性物質
布地ケア有益剤は、１種以上の布地ケア活性物質を含有するマイクロカプセル又はマイクロエンキャプシュレートの形態にしてもよい。用語「マイクロカプセル」及び「マイクロエンキャプシュレート」は本明細書では相互に置き換え可能に用いられる。ウォール又はシェルカプセルと称される、マイクロカプセルの１つのタイプは、活性物質を中に含有した、概して球状中空シェルの不溶性ポリマー物質を含む。
【００５１】
マイクロカプセル内に含有されてもよい活性物質としては、香料、殺真菌剤、悪臭抑制剤、静電気防止剤、蛍光増白剤、抗菌活性物質、紫外線保護剤、難燃剤、光沢剤などが挙げられるが、これらに限定されない。
【００５２】
一実施形態では、マイクロカプセルは本来破砕可能なものである。「破砕性」とは、直接の外圧又は剪断力を受けた時に破裂するか又は破断して開く傾向をいう。本発明の目的のために、利用されるマイクロカプセルは、処理される布地に装着されている状態で、もしそれらがカプセルを含有する布地が擦られるか又は取り扱われることによって操作される時に遭遇する力によって破裂され得るならば「破砕可能」である（これによってカプセルの内容物を放出する）。
【００５３】
一実施形態では、マイクロカプセルは典型的には１マイクロメートル〜１００マイクロメートル、又は５マイクロメートル〜８０ミクロンの範囲の平均直径を有する。
【００５４】
別の実施形態では、マイクロカプセルは約５ミクロン〜約３００ミクロン、又は約１０ミクロン〜約２００ミクロンの最大直径（最長寸法）を有するサイズにわたる。カプセル粒径が、３００ミクロンに近づくにつれて（例えば２５０ミクロン）、布地の中に捕捉されるカプセルの個数の低減が観察され得る。
【００５５】
別の実施形態では、本発明に利用されるカプセルは一般に、約０．１ミクロン〜５０ミクロン、又は約１ミクロン〜約１０ミクロンの範囲に及ぶ平均シェル厚さを有する。
【００５６】
様々なマイクロカプセルが、特に米国特許第２００５／０１９２２０４Ａ１号、パラグラフ３７〜４３；同第２００３２１５４１７Ａ１号；同第２００３２１６４８８Ａ１号；同第２００３１５８３４４Ａ１号；同第２００３１６５６９２Ａ１号；同第２００４０７１７４２Ａ１号；同第２００４０７１７４６Ａ１号；同第２００４０７２７１９Ａ１号；同第２００４０７２７２０Ａ１号；欧州特許第１３９３７０６Ａ１号；米国特許第２００３２０３８２９Ａ１号；同第２００３１９５１３３Ａ１号；同第２００４０８７４７７Ａ１号；同第２００４０１０６５３６Ａ１号；同第６６４５４７９号；同第６２００９４９号；同第４８８２２２０号；同第４９１７９２０号；同第４５１４４６１号；再発行米国特許第３２７１３号；米国特許第４２３４６２７号に記載されるような香料マイクロカプセルが、当該技術分野において既知である。
【００５７】
本発明の一実施形態では、マイクロカプセルのシェルがアミノプラスト樹脂を含む。このようなシェルカプセルを形成する方法は重縮合を含む。アミノプラスト樹脂は、１種以上のアミンと１種以上のアルデヒド、典型的にはホルムアルデヒドとの反応物である。好適なアミンの非限定例として、尿素、チオ尿素、メラミン及びその誘導体、ベンゾグアナミン及びアセトグアナミン、及びアミンの組合せが挙げられる。好適な架橋剤（例えば、トルエンジイソシアネート、ジビニルベンゼン、ブタンジオールジアクリレートなど）を使用してもよく、そして、二級ウォールポリマーも、例えば、無水物類及びこれらの誘導体、特に、ＰＣＴ国際公開特許ＷＯ０２／０７４４３０号に開示されている、無水マレイン酸のポリマー及びコポリマーを、必要に応じて使用することができる。別の実施形態では、マイクロカプセルのシェルは、ユリアホルムアルデヒド、メラミンホルムアルデヒド、又はこれらの組合せを含む。
【００５８】
香料マイクロカプセルは、香料の潜在的な発生源を提供するためにカプセル化された香料組成物を含む。カプセル化されるこの香料組成物は、１００％香料から構成されてもよく、これは個別の香料成分又は香料調和を包含し、所望により、この香料組成物は希釈剤などの不揮発性物質を含んでもよい。この希釈剤は、香料処方の０％〜５０％で存在してもよい。例示の希釈剤は、ミリスチン酸イソプロピル、ポリエチレングリコール、プロパンジオールを含む。
【００５９】
沈着支援ポリマー又は沈着ポリマー
本発明の組成物は、１種以上のエチレン系不飽和カチオン性又はアミンのモノマー及び１種以上のエチレン系不飽和非イオン性モノマー及び所望により１種以上のエチレン系不飽和アニオン性モノマーの重合されたモノマー単位残基を含む非多糖類系カチオン性コポリマーを含む。アニオン性モノマー単位がポリマー内に存在している時、このポリマーが正味カチオン性であること、すなわち、カチオン性モノマー単位の数がポリマー鎖におけるアニオン性モノマー単位の数より多いことが理解される。具体的には、カチオン性ポリマーが、洗剤組成物中の洗浄性酵素と相溶性があり、洗濯中に有益剤の布地への沈着を支援及び／又は向上させることができる。
【００６０】
本発明において有用な例示のカチオン性又はアミンモノマーは、Ｎ，Ｎ−ジアルキルアミノアルキルメタクリレート、Ｎ，Ｎ−ジアルキルアミノアルキルアクリレート、Ｎ，Ｎ−ジアルキルアミノアルキルアクリルアミド、Ｎ，Ｎ−ジアルキルアミノアルキルメタクリルアミド、メタクリルアミドアルキルトリアルキル塩化アンモニウム（methacylamidoalkyl trialkylammonium chloride）、アクリルアミドアルキルトリアルキル塩化アミニウム、ビニルアミン、ビニルイミダゾール、四級化ビニルイミダゾール及びジアリルジアルキル塩化アンモニウムである。好ましいカチオン性及びアミンモノマーは、Ｎ，Ｎ−ジメチルアミノエチルアクリレート、Ｎ，Ｎ−ジメチルアミノエチルメタクリレート（ＤＭＡＭ）、［２−（メタクリロイルアミノ）エチル］トリ−メチル塩化アンモニウム（ＱＤＭＡＭ）、Ｎ，Ｎ−ジメチルアミノプロピルアクリルアミド（ＤＭＡＰＡ）、Ｎ，Ｎ−ジメチルアミノプロピルメタクリルアミド（ＤＭＡＰＭＡ）、アクリルアミドプロピルトリメチル塩化アンモニウム、メタクリルアミドプロピルトリメチル塩化アンモニウム（ＭＡＰＴＡＣ）、四級化ビニルイミダゾール及びジアリルジメチル塩化アンモニウムである。
【００６１】
本発明において用いるのに適した例示的な非イオン性モノマーは、アクリルアミド（ＡＭ）、Ｎ，Ｎ−ジアルキルアクリルアミド、メタクリルアミド、Ｎ，Ｎ−ジアルキルメタクリルアミド、Ｃ１〜Ｃ１２アルキルアクリレート、Ｃ１〜Ｃ１２ヒドロキシアルキルアクリレート、Ｃ１〜Ｃ１２ヒドロキシエーテルアルキルアクリレート、Ｃ１〜Ｃ１２アルキルメタクリレート、Ｃ１〜Ｃ１２ヒドロキシアルキルメタクリレート、ビニルアセテート、ビニルアルコール、ビニルホルムアミドである。好ましい非イオン性モノマーは、アクリルアミド、Ｎ，Ｎ−ジメチルアクリルアミド、Ｃ１〜Ｃ４アルキルアクリレート、Ｃ１〜Ｃ４ヒドロキシアルキルアクリレート、ビニルホルムアミド、ビニルアセテート及びビニルアルコールである。最も好ましい非イオン性モノマーは、アクリルアミド、ヒドロキシエチルアクリレート（ＨＥＡ）、ヒドロキシプロピルアクリレート（ＨＰＡ）、ビニルホルムアミド、ビニルアセテート、及びビニルアルコールである。
【化１３】
2009537649.tif 000014
【００６２】
ポリマーは、所望によりアクリル酸、メタクリル酸、マレイン酸、ビニルスルホン酸、スチレンスルホン酸、アクリルアミドプロピルメタンスルホン酸（ＡＭＰＳ）及びこれらの塩などのアニオン性モノマーを含んでもよい。
【００６３】
ポリマーは任意で架橋されていてよい。架橋モノマーには、エチレングリコールジアクリレート、ジビニルベンゼン、ブタジエンが挙げられるが、これらに限定されない。
【００６４】
最も好適なポリマーは、ポリ（アクリルアミド−コ−ジアリルジメチル塩化アンモニウム）、ポリ（アクリルアミド−メタクリルアミドプロピルトリメチル塩化アンモニウム）、ポリ（アクリルアミド−コ−Ｎ，Ｎ−ジメチルアミノエチルメタクリレート）、ポリ（アクリルアミド−コ−Ｎ，Ｎ−ジメチルアミノエチルメタクリレート）、ポリ（ヒドロキシエチルアクリレート−コ−ジメチルアミノエチルメタクリレート）、ポリ（ヒドロキシプロピルアクリレート−コ−ジメチルアモノエチルメタクリレート）、ポリ（ヒドロキシプロピルアクリレート−コ−メタクリルアミドプロピルトリメチル塩化アンモニウム）である。
【００６５】
沈着ポリマーが処方可能であり、組成物中で安定であるためには、ポリマーに組み入れられるモノマーがコポリマーを形成することが重要であり、大きく異なった反応性比を有するがモノマーが使用される場合には特に正しい。市販のコポリマーと異なって、本明細書の沈着ポリマーは、モノマーの１０重量％未満の遊離モノマー含量を有し、好ましくは５重量％未満である。沈着ポリマーを含有し、遊離モノマー含量が低い反応生成物を生成するのに好適な合成条件は以下に記述される。
【００６６】
この沈着支援ポリマーはランダム型、ブロック型又はグラフト型とすることができる。それらは直鎖又は分枝鎖とすることができる。沈着支援ポリマーは、約１〜約６０モル％の、好ましくは約１〜約４０モル％の、カチオン性モノマー反復単位、及び、約９８〜約４０モル％の、約６０〜約９５モル％の、非イオン性（すなわち、「中性」）モノマー反復単位を含む。
【００６７】
沈着支援ポリマーは、乾燥ポリマー中、約０．１〜約５．０ミリ当量／ｇ（ｍｅｑ／ｇ）、好ましくは約０．２〜約３ｍｅｑ／ｇの電荷密度を有する。これはポリマー自体の電荷密度を指し、原料モノマーのものとは異なることが多い。例えば、モノマー仕込み比が７０：３０のアクリルアミドとジアリルジメチル塩化アンモニウムのコポリマーに対して、仕込みモノマーの電荷密度は約３．０５ｍｅｑ／ｇである。しかし、ジアリルジメチル塩化アンモニウムの５０％だけが重合した場合、ポリマーの電荷密度は約１．６ｍｅｑ／ｇだけである。ポリマー電荷密度は、透析膜によるポリマーの透析又はＮＭＲによって測定される。アミンモノマーを用いたポリマーでは、電荷密度はキャリアのｐＨに依存する。これらのポリマーでは、電荷密度はｐＨ７で測定される。
【００６８】
通常、ポリマーの重量平均分子量は、ＲＩ検出器を用いて、ポリエチレンオキシド標準に相対的にサイズ排除クロマトグラフィーによって計測されるように、１０，０００〜５，０００，０００、好ましくは、１００，０００〜２，００，０００、及びさらに好ましくは、２００，０００〜１，５００，０００になるとされる。移動相は、０．４モルＭＥＡ、０．１モルＮａＮＯ３、３％酢酸の２０％メタノール溶液であり、ウオーターズ・リニア・ウルトラヒドロゲル（Waters Linear Ultrahdyrogel）カラムを２本直列に接続して用いる。カラムと検出器は４０℃に保持した。流量設定は０．５ｍＬ／分である。
【００６９】
キャリア
本組成物中において所望によるが好ましいキャリアは、水のみ又は有機溶媒と水との混合物とすることができる。好適な有機溶媒は、直鎖又は分枝鎖低級（Ｃ１〜Ｃ８）アルコール、ジオール、グリセロール又はグリコール；Ｃ１〜Ｃ４アルカノールアミンなどの低級アミン溶媒、及びこれらの混合物である。例示的な有機溶媒としては、１，２−プロパンジオール、エタノール、グリセロール、モノエタノールアミン及びトリエタノールアミンが挙げられる。例えば、本発明の無水固形物実施形態からキャリアは無しにできるが、より典型的には約０．１％〜約９８％の範囲にある濃度で存在し、好ましくは少なくとも約１０％〜約９５％、より通常的には約２５％〜約７５％で存在する。本発明によって提供される非常に好ましい組成物は、透明な、等方性液体である。
【００７０】
洗濯補助剤
（ａ）洗浄性界面活性剤又は界面活性剤
本発明の洗濯製品は、約１重量％〜８０重量％の界面活性剤を含んでよい。好ましくは、このような組成物は、約５重量％〜５０重量％の界面活性剤を含む。使用されるクリーニング性界面活性剤は、アニオン性、非イオン性、双極性、両性、若しくはカチオン性の種類のものにすることができ、又は、これらの種類の界面活性剤の相溶性の混合物を含むことができる。本明細書で有用なクリーニング性界面活性剤は、米国特許第３，６６４，９６１号（１９７２年５月２３日発行、ノリス（Norris））、同第３，９１９，６７８号（１９７５年１２月３０日発行、ラフリン（Laughlin）ら）、同第４，２２２，９０５号（１９８０年９月１６日発行、コックレル（Cockrell））、及び同第４，２３９，６５９号（１９８０年１２月１６日発行、マーフィー（Murphy））に記載されている。アニオン性及び非イオン性の界面活性剤が好ましい。
【００７１】
有用なアニオン性界面活性剤は、それら自体が、幾つか異なる種類の界面活性剤になることができる。例えば、高級脂肪酸類の水溶性塩、すなわち「石鹸」は、本明細書の組成物において有用なアニオン性界面活性剤である。これには、約８〜約２４の炭素原子、及び好ましくは約１２〜約１８の炭素原子を含有する高級脂肪酸のナトリウム、カリウム、アンモニウム、及びアルキルアンモニウム塩のようなアルカリ金属石鹸、が挙げられる。石鹸は、脂肪及び油の直接鹸化によって、又は遊離脂肪酸の中和によって製造することができる。特に有用であるのは、ココヤシ油及び獣脂から誘導される脂肪酸の混合物のナトリウム及びカリウム塩、すなわち、ナトリウム又はカリウム獣脂及びココヤシ石鹸である。
【００７２】
本明細書に用いるのに好適な、石鹸以外のさらなるアニオン性界面活性剤には、その分子構造内に約１０〜約２０個の炭素原子を含有するアルキル基とスルホン酸又は硫酸エステル基とを有する有機イオウ反応生成物の、水溶性塩、好ましくはアルカリ金属及びアンモニウム塩が含まれる。（用語「アルキル」には、アシル基のアルキル部分が含まれる。）この群の合成界面活性剤の例は、ａ）アルキル硫酸ナトリウム、アルキル硫酸カリウム、及びアルキル硫酸アンモニウム、特に、獣脂又はココヤシ油のグリセリドの還元によって生成されるような高級アルコール（Ｃ８〜Ｃ１８炭素原子）の硫酸化によって得られるもの；ｂ）アルキルポリエトキシレート硫酸ナトリウム、アルキルポリエトキシレート硫酸カリウム、及びアルキルポリエトキシレート硫酸アンモニウム、特に、アルキル基が１０〜２２個、好ましくは１２〜１８個の炭素原子を含有し、ポリエトキシレート鎖が１〜１５個、好ましくは１〜６個のエトキシレート部分を含有するもの；並びに、ｃ）アルキル基が直鎖若しくは分枝鎖構造中に約９〜約１５個の炭素原子を含有する、アルキルベンゼンスルホン酸ナトリウム及びアルキルベンゼンスルホン酸カリウム、例えば、米国特許第２，２２０，０９９号及び米国特許第２，４７７，３８３号に記載の種類のものである。とりわけ価値があるのは、アルキル基の平均炭素原子数が約１１〜１３個のＣ１１〜Ｃ１３ＬＡＳと略される、直鎖アルキルベンゼンスルホネートである。
【００７３】
好ましい非イオン性界面活性剤は、Ｒ１（ＯＣ２Ｈ４）ｎＯＨの式で表されるものであり、式中、Ｒ１はＣ１０〜Ｃ１６のアルキル基又はＣ８〜Ｃ１２のアルキルフェニル基であり、ｎは３〜約８０である。特に好ましいのは、アルコール１モル当り約５〜約２０モルのエチレンオキシドを有するＣ１２〜Ｃ１５アルコールの縮合生成物であり、例えば、アルコール１モル当り約６．５モルのエチレンオキシドで縮合したＣ１２〜Ｃ１３アルコールが挙げられる。
【００７４】
（ｂ）洗浄性酵素
本明細書での使用に好適な洗浄性酵素としては、プロテアーゼ、アミラーゼ、リパーゼ、セルラーゼ、マンナナーゼ及びエンドグルカナーゼを含有するカルボヒドラーゼ、及びこれらの混合物が挙げられる。酵素は、「クリーニングに有効な量」を提供するのに十分な濃度で洗剤組成物中に通常組み込まれる。（セルラーゼはまた典型的には不要なフィブリル（微細繊維）を除去するのに十分な量で使用され、不要なフィブリルは不要な「毛玉」及び「毛羽立ち」の形成に加えて木綿系の布地から色をさえなくする原因となり得る。）「クリーニングに有効な量」という用語は、布地のような基材に対してクリーニング、染み除去、汚れ除去、漂白、脱臭、又は清新感改善効果を生み出すことが可能な任意の量を指す。好ましくは、本発明の洗濯製品組成物は、当該洗剤組成物１ｇ当り、重量で約５ｍｇまで、より典型的には約０．０１ｍｇ〜約３ｍｇの活性酵素を含有してよい。プロテアーゼ（クリーニング用）及びセルラーゼ（フィブリル除去用）の混合物が好ましい。別の言い方をすれば、本明細書の組成物は、典型的には、組成物の約０．００１重量％〜約５重量％、好ましくは約０．０１重量％〜約１重量％の市販の酵素調製物を含む。プロテアーゼ酵素が、好ましくはかかる市販の調製物中に、組成物１ｇ当り０．００５〜０．１アンソン単位（ＡＵ）の活性を提供するのに十分な濃度で存在する。高濃縮型の洗剤製剤では、より高い活性レベルが望ましい場合がある。
【００７５】
（ｃ）香料
カプセル化された香料に加えて、香料はまた本発明の洗剤組成物に組み込まれてもよい。香料成分は事前混合され、本発明の洗剤組成物に添加する前に香料アコード（調合）を形成する。本明細書で用いる場合、「香料」は個別の香料成分並びに香料アコード（調合）を包含する。
【００７６】
洗剤組成物における香料アコード（調合）の濃度は、洗剤組成物の、典型的には約０．０００１重量％〜約２重量％又はそれ以上、例えば１０重量％までであり、好ましくは約０．０００２重量％〜約０．８重量％、より好ましくは約０．００３重量％〜約０．６重量％、最も好ましくは約０．００５重量％〜約０．５重量％である。
【００７７】
香料アコード（調合）における香料成分の濃度は、香料アコード中、典型的には約０．０００１重量％（より好適には０．０１重量％）〜約９９重量％、好ましくは０．０１重量％〜約５０重量％、さらに好ましくは約０．２重量％〜約３０重量％、なおさら好ましくは約１重量％〜約２０重量％、最も好ましくは約２重量％〜約１０重量％である。例示の香料成分及び香料アコードは、米国特許第５，４４５，７４７号、同第５，５００，１３８号、同第５，５３１，９１０号、同第６，４９１，８４０号、同第６，９０３，０６１号に開示されている。
【００７８】
（ｄ）他の補助剤
他の好適な洗濯用補助物質の例としては、トリメトキシ安息香酸又はこの塩（ＴＭＢＡ）などのアルコキシル化安息香酸又はこれらの塩；ゼオライトなどの無機ビルダーを含む無機ビルダー及びポリアクリレート／マレイン酸塩コポリマーなどの水溶性有機ビルダー；触媒金属錯体などの漂白剤、活性化過酸素供給源、漂白活性化剤、漂白増進剤、光漂白剤、漂白酵素、フリーラジカル反応開始剤、及び次亜ハロゲン酸（塩）漂白剤；ポリビニルアルコールフィルム又は他の好適な変形例、砂糖、ＰＥＧ、ワックス、又はこれらの組合せを含むコーティング又はカプセル化剤；酵素安定化系；アミノカルボキシレート、アミノホスホネート、窒素非含有ホスホネートを含むキレート剤、並びに、燐及びカルボキシレートを含有しないキレート剤；アニオン性染料のための固定剤を含む捕捉剤、アニオン性界面活性剤のための錯化剤、並びにこれらの混合物；過酸化水素及びカタラーゼを含む発泡系；光学的光沢剤又は蛍光剤；汚れ放出ポリマー；分散剤；泡抑制剤；染料；着色剤；硫酸ナトリウムなどの充填剤塩；トルエンスルホネート、クメンスルホネート及びナフタレンスルホネートのような向水性物質；光活性化剤（photoactivators）；加水分解型界面活性剤；防腐剤；酸化防止剤；布地柔軟剤；収縮防止剤；皺防止剤；殺菌剤；殺真菌剤；カラースペックル（color speckles）；着色されたビーズ、球体又は押出物；日焼け止め剤；フッ素化化合物；粘土；発光剤又は化学発光剤；耐腐食剤及び／又は機器保護剤；アルカリ源又は他のｐＨ調整剤；可溶剤；加工助剤；顔料；フリーラジカル捕捉剤、及びこれらの混合物が挙げられるが、これらに限定されない。多糖系補助剤及び成分は、好ましくは本明細書では、特にセルラーゼ酵素が存在している場合には、省かれる。それ故に、この好ましい組成物は本明細書では実質的に含有されていない（すなわち、多糖類系成分の約１％未満、好ましくは約０．２％未満、より好ましくは０％）。好適な物質には、米国特許第５，７０５，４６４号、第５，７１０，１１５号、第５，６９８，５０４号、第５，６９５，６７９号、第５，６８６，０１４号及び第５，６４６，１０１号に記載のものが挙げられる。代表的な使用濃度は、光学的光沢剤及び日焼け止め剤などように補助剤の組成物の０．００１重量％という低いものから、ビルダーのように組成物の５０重量％までといった範囲に及ぶ。
【００７９】
本発明の組成物の調製
有益剤及び沈着ポリマーの本発明の組成物への組み込みは、任意の好適な方法で行うことができ、一般に、混合又は添加の任意の順序を伴うことができる。
【００８０】
例えば、製造業者から受け取られる有益剤及び／又は沈着ポリマーは、最終組成物の２つ以上の別の構成成分の予め形成された混合物へ直接に導入されることができる。これは配合プロセスにおける正に最終時点を含む、最終組成物を調製するプロセスにおけるいかなる時点にでも行うことができる。すなわち、有益剤及び／又は沈着ポリマーは、予め製造された液体洗濯用洗剤へ添加されて本発明の最終組成物を生成することができる。
【００８１】
別の例では、この有益剤類は乳化剤、分散剤又は沈殿防止剤と事前混合されてエマルション、ラテックス、分散液、懸濁液などを生成することができ、次いで最終組成物の（沈着ポリマー、洗浄性界面活性剤などのような）他の構成成分と混合される。これらの構成成分は、最終組成物を調製するプロセスにおいて任意の順序及び時点において添加できる。
【００８２】
第３の例は、有益剤又は沈着ポリマーを最終組成物の１つ以上の補助剤と混合する工程及びこのプレミックスを残りの補助剤の混合物へ添加する工程を伴う。
【００８３】
本発明の組成物の使用及び基材処理方法
基材処理方法は、基材を本発明の洗濯用洗剤組成物と接触させる工程を含む。この接触工程は、組成物の布地への直接適用、水溶性洗浄プロセスを介する組成物の布地への適用又は組成物から生成された洗浄液の布地への適用を含んでもよい。
【実施例】
【００８４】
以下の非限定的な実施例は、本発明において有用な沈着ポリマーを例示している。全ての構成成分は、組成物のモル・パーセントで表わされている。
【表１】
2009537649.tif 000015
【００８５】
以下の非限定的な実施例は、本発明において有用な代表的な沈着ポリマーの合成を例示している。
【００８６】
実施例１のコポリマーの合成
三口丸底フラスコは、アルゴンで充填され及びオーバーヘッド攪拌棒、加熱マントル、及び温度計が装備される。カリウムフタレート緩衝剤（ｐＨ４、０．０５Ｍ、７０℃、２５０ｍＬ）がフラスコに加えられ、次いでアクリルアミド（３６．０４ｇ、０．５１モル）、濃縮されたＨＣｌ（０．２５ｍＬ）及びジアリルジメチル塩化アンモニウム（４．００ｇ、０．０２モル）が加えられる。１０％重量／体積の溶液（１０ｍＬ）としての２，２’−アゾビス（２−メチルプロピオンアミジン）ジヒドロクロリド（０．３０ｇ、０．００１モル）が反応混合物に加えられる。フラスコの内容物が約８０℃まで熱せられる。この温度は維持され、フラスコの内容物は１８時間にわたって混合することが可能である。冷却された反応混合物は、６．４％の質量濃度／質量パーセントの固体を有するポリマー溶液を生ずる。
【００８７】
実施例２のコポリマーの合成
このポリマーは、アクリルアミドとＤＭＡＭの比率が９５：５であるものを除いて実施例１のように合成される。冷却された反応混合物は、６．９％の質量濃度／質量パーセントの固体を有するポリマー溶液を生ずる。
【００８８】
実施例３のコポリマーの合成
三口丸底フラスコは、アルゴンで充填され及びオーバーヘッド攪拌棒、加熱マントル、及び温度計が装備される。水（５０℃、５９０ｍＬ）がフラスコへ加えられ、次いでメタクリルアミドプロピルトリメチル塩化アンモニウム（８．０１ｇ、５０％、０．０３６モル）、１規定のＨＣｌ（０．２０ｍＬ）及びアクリルアミド（３２．０１ｇ、０．４５モル）が加えられる。過硫酸ナトリウム（０．０４ｇ、０．０００２モル）が１％重量／体積溶液（４ｍＬ）として反応混合物へ加えられる。フラスコの内容物が約７５℃まで熱せられる。この温度は１８時間維持される。冷却された反応混合物は、６．０％の質量濃度／質量パーセントの固体を有するポリマー溶液を生ずる。
【００８９】
実施例４のコポリマーの合成
ポリマーは、アクリルアミド：ＭＡＰＴＡＣの比が９２．５：７．５であることを除いて実施例１のように合成される。フラスコの内容物は１８時間攪拌される。冷却された反応混合物は、６．８％の質量濃度／質量パーセントの固体を有するポリマー溶液を生ずる。
【００９０】
実施例５のコポリマーの合成
三口丸底フラスコは、アルゴンで充填され及びオーバーヘッド攪拌棒、加熱マントル、及び温度計が装備される。温水（６００ｍＬ）がフラスコに加えられ次いで［２−（メタクリロイルアミノ）エチル］トリエチル塩化アンモニウム（８．０２ｇ、０．０３７モル、７５％）、１規定のＨＣｌ（０．２ｍＬ）及びアクリルアミド（３２．０３ｇ、０．４５モル）が加えられる。２，２’−アゾビス［２−（２−イミダゾリン−２−ｙｌ）プロパン］ジヒドロクロリド（０．９０ｇ、０．００３モル）が１０％重量／体積溶液（９ｍＬ）として反応混合物に加えられる。フラスコの内容物は温かく保たれ、１８時間混合することが可能である。冷却された反応混合物は、６．７％の質量濃度／質量パーセントの固体を有するポリマー溶液を生ずる。
【００９１】
実施例６のコポリマーの合成
三口丸底フラスコは、アルゴンで充填され、オーバーヘッド攪拌棒、加熱マントル、及び温度計が装備される。温水（５７５ｍＬ）がフラスコに加えられ、次いでＮ，Ｎ−ジメチルアミノエチルメタクリレート（８．００ｇ、０．０５１モル）、２規定のＨＣｌ（２６ｍＬ）及びヒドロキシプロピルアクリレート（３６．００ｇ、０．２４６モル）が加えられる。２，２’−アゾビス（２−メチルプロピオンアミジン）ジヒドロクロリド（１．００ｇ、０．００４モル）が１０％重量／体積溶液（１０ｍＬ）として反応混合物に加えられる。フラスコの内容物は温かく保たれ、１８時間混合することが可能である。冷却された反応混合物は、６．５％の質量濃度／質量パーセントの固体を有するポリマー溶液を生ずる。
【００９２】
実施例７のコポリマーの合成
ポリマーは、ヒドロキシプロピルアクリレート：ＤＭＡＭの比が７３．７：２６．３であることを除いて実施例６のように合成される。冷却された反応混合物は、６．６％の質量濃度／質量パーセントの固体有するポリマー溶液を生ずる。
【００９３】
実施例８のコポリマーの合成
三口丸底フラスコは、アルゴンで充填され、オーバーヘッド攪拌棒、加熱マントル、及び温度計が装備される。水（６０℃、７５０ｍＬ）がフラスコに加えられ、次いでＮ，Ｎ−ジメチルアミノエチルメタクリレート（２．０３ｇ、０．０１３モル）、１規定のＨＣｌ（１３ｍＬ）及びヒドロキシエチルアクリレート（３８．０１ｇ、０．３３モル）が加えられる。２，２’−アゾビス（２−メチルプロピオンアミジン）ジヒドロクロリド（１．００ｇ、０．００４モル）が１０％重量／体積溶液（１０ｍＬ）として反応混合物に加えられる。フラスコの内容物は約７０℃まで熱せられる。混合物は、室温まで冷却して、内容物は１８時間にわたって攪拌することが可能である。反応混合物は、４．９％の質量濃度／質量パーセントの固体を有するポリマー溶液を生ずる。
【００９４】
実施例９のコポリマーの合成
三口丸底フラスコは、アルゴンで充填され、オーバーヘッド攪拌棒、加熱マントル、及び温度計が装備される。水（６０℃、７５０ｍＬ）がフラスコに加えられ、次いでＮ，Ｎ−ジメチルアミノエチルメタクリレート（２．０３ｇ、０．０１３モル）、１規定のＨＣｌ（１３ｍＬ、０．０１３モル）及びヒドロキシエチルアクリレート（３８．０１ｇ、０．３３モル）及びエチレングリコールジアクリレート（０．２３ｇ、０．００１モル）が加えられる。２，２’−アゾビス（２−メチルプロピオンアミジン）（１．００ｇ、０．００４モル）が１０％重量／体積溶液（１０ｍＬ）として反応混合物に加えられる。フラスコの内容物は約７０℃まで熱せられる。混合物は、室温まで冷却して、内容物は１８時間にわたって攪拌することが可能である。冷却した反応混合物は、４．７％の質量濃度／質量パーセントの固体を有するポリマー溶液を生ずる。
【００９５】
実施例１０ポリ（ジアリルジメチル塩化アンモニウム−コ−アクリルアミド）の透析
ポリ（ジアリルジメチル塩化アンモニウム−コ−アクリルアミド）は、メルクワット（登録商標）Ｓ、９％溶液（１０ｇ）として入手可能であり、これは１０００ｍＬまで希釈され、スペクトラポアモルキュラポラス（Spectra Por Molecularporous）透析膜チュービングＭＷＣＯ  １２〜１４Ｋ（ＶＷＲサイエンティフィック（Scientific）社から入手可能）内に設置される。試料が水に対して５２時間透析される。チューブ内に残る内容物は凍結乾燥されて固体ポリマーを生じる。
【００９６】
実施例１１ポリ（ジアリルジメチル塩化アンモニウム−コ−アクリルアミド）の透析
実施例１０の透析手順は、メルクワット（登録商標）２２２０を用いて繰り返され、これはポリ（ジアリルジメチル塩化アンモニウム−ｃｏ−アクリルアミド）を含む。
【００９７】
（実施例１２）
次の非限定的な実施例は、本発明の洗剤組成物を例示している。別途明記しない場合、百分率は重量によるものである。
【表２】
2009537649.tif 000016
１：オルガノシリコーンは、ポリジメチルシロキサン（ビスカシル（Viscasil）（登録商標）３００Ｍ）及びアミノ官能シリコーン（ＴＰ−３９０９）の重量比３：１でのブレンドであり、両物質ともコネチカット州、ウィルトン（Wilton）のＧＥシリコーン（Siliconess）により供給される。
２：沈着ポリマーは、表１から選択されるコポリマー、又は、表２から選択される市販のコポリマーの１種以上とすることができる。
【表３】
2009537649.tif 000017
ｉ．イリノイ州のネーパービル（Naperville）のナルコ・カンパニー（Nalco Company）社から入手可能なポリマー；
ｉｉ．フランスのオーベルヴィリエ（Aubervilles）のローディア・シミー（Rhodia Chemie）社から入手可能なポリマー。
３．洗剤組成物におけるオルガノシリコーンは表３から選択されることができる。
【表４】
2009537649.tif 000018
【００９８】
「発明を実施するための最良の形態」で引用した全ての文献は、関連部分において本明細書に参考として組み込まれるが、いずれの文献の引用も、それが本発明に対する先行技術であることを容認するものと解釈されるべきではない。本明細書における用語のいずれかの意味又は定義が、参照することにより組み込まれる文献における用語のいずれかの意味又は定義と対立する範囲においては、本明細書においてその用語に付与した意味又は定義を適用するものとする。
【００９９】
本発明の特定の諸実施形態を図示し、記載したが、本発明の趣旨及び範囲から逸脱することなく他の様々な変更及び修正を実施できることは当業者には自明であろう。したがって、本発明の範囲内にあるかようなすべての変更及び修正を、付加された許請求の範囲でカバーするものとする。
【国際調査報告】
2009537649.tif 000031
2009537649.tif 000032
2009537649.tif 000033